(57)【要約】【課題】複数の子機を有するコードレス電話において、受信したメッセージの着信通知を特定の子機へのみ通知し、プライバシーの確保を図ることを目的とする。【解決手段】コードレス電話の親機において、先にメッセージを送信した子機たとえばと、そのあて先となる相手機の電話番号を記憶し、相手機からメッセージの返信があった場合に、メッセージ中の送信元電話番号から親機で記憶した電話番号と照合することで、先に送信した特定の子機に着信させることができる。【選択図】図１
2010226570.tif 000002
【特許請求の範囲】
【請求項１】
公衆無線通信手段を有する中継通信装置と、前記中継通信装置に無線通信路によって直接接続可能な第１の移動端末と、前記中継通信装置に公衆無線通信路を介して接続する第２の移動端末からなる通信システムにおいて、
前記中継通信装置内に設けた保存手段に、前記第１の移動端末を特定するための第１の特定情報と前記第２の移動端末を特定するための第２の特定情報を、通信メッセージを送受信する移動端末の組合せを特定する情報として登録することを特徴とする中継通信装置。
【請求項２】
前記中継通信装置に公衆無線通信路を介して接続する第３の移動端末から前記第１の移動端末へメッセージを送信するとき、前記第３の移動端末が有する第３の特定情報が、前記中継通信装置内の保存手段に保存された前記第２の特定情報のいずれかと一致した場合に、通信メッセージを送受信する移動端末の組合せとして前記第２の特定情報と組合せて保存されている前記第１の特定情報を有する前記第１の移動端末へ前記中継通信装置がメッセージの着信を通知することを特徴とする請求項１に記載の中継通信装置。
【請求項３】
前記第１の移動端末から前記第２の移動端末へメッセージを送信するとき、前記第１の移動端末を特定する前記第１の特定情報と前記第２の移動端末を特定する前記第２の特定情報による通信メッセージを送受信する移動端末の組合せを、前記中継通信装置内の保存手段に登録することを特徴とする請求項１記載の中継通信装置。
【請求項４】
前記第１の移動端末から前記第２の移動端末へメッセージを送信するとき、前記第１の移動端末を特定する前記第１の特定情報と前記第２の移動端末を特定する前記第２の特定情報による通信メッセージを送受信する移動端末の組合せが前記中継通信装置内の保存手段に既に登録されている場合、前記組合せの優先度を上げることを特徴とする請求項１記載の中継通信装置。
【請求項５】
前記第３の移動端末から前記第１の移動端末へメッセージを送信するとき、前記第３の移動端末が有する前記第３の特定情報が、前記中継通信装置内の保存手段に保存された前記第２の特定情報として複数個登録されている場合、前記優先度の高い通信メッセージを送受信する移動端末の組合せを選択し、選択された前記組合せに保存されている前記第１の特定情報を有する前記第１の移動端末へメッセージの着信を通知することを特徴とする請求項１に記載の中継通信装置。
【請求項６】
前記第３の移動端末から前記第１の移動端末へメッセージを送信するとき、前記第３の移動端末が有する前記第３の特定情報が、前記中継通信装置内の保存手段に保存された前記第２の特定情報として１個も登録されていない場合、前記中継通信装置に無線通信路によって直接接続している全ての移動端末へメッセージの着信を通知することを特徴とする請求項１に記載の中継通信装置。
【請求項７】
公衆無線通信手段を有する中継通信装置と、前記中継通信装置に無線通信路によって直接接続可能な第１の移動端末と、前記中継通信装置に公衆無線通信路を介して接続する第２の移動端末との間のメッセージ通信を、前記中継通信装置内に設けた保存手段に、前記中継通信装置を介して送受信するメッセージが前記第１の移動端末と前記第２の移動端末間のメッセージであることを特定するための第４の特定情報を、通信メッセージを送受信する移動端末の組合せとして登録することを特徴とする中継通信装置。
【請求項８】
前記中継通信装置に公衆無線通信路を介して接続する第３の移動端末から前記第１の移動端末へメッセージを送信するとき、前記メッセージの本文のいずれかに付加したメッセージの転送を特定するための第５の特定情報が、前記中継通信装置内の保存手段に保存された前記第４の特定情報のいずれかと一致した場合に、前記第５の特定情報と組合せて保存されている前記第１の特定情報を有する前記第１の移動端末へメッセージの着信を通知することを特徴とする請求項７に記載の中継通信装置。
【請求項９】
前記第１の移動端末から前記第２の移動端末へメッセージを送信するとき、前記第１の移動端末を特定する前記第１の特定情報と前記第２の移動端末を特定する前記第２の特定情報による通信メッセージを送受信する移動端末の組合せと前記第１の移動端末と前記第２の移動端末間のメッセージ通信を特定する前記第４の特定情報を、前記中継通信装置内の保存手段に登録することを特徴とする請求項７に記載の中継通信装置。
【請求項１０】
公衆無線通信手段を有する中継通信装置と、前記中継通信装置に無線通信路によって直接接続可能な第１の移動端末と、前記中継通信装置に公衆無線通信路を介して接続する第２の移動端末との間のメッセージ通信を、前記中継通信装置内に設けた保存手段に、前記第１の移動端末を特定するための第１の特定情報と前記第２の移動端末を特定するための第２の特定情報を、通信メッセージを送受信する移動端末の組合せを特定する情報として登録することを特徴とする中継通信装置。
【請求項１１】
第１の端末と通信路を介して通信を行い、第２の端末と公衆通信路を介して通信を行う中継通信装置であって、
前記第１の端末と前記第２の端末との間で通信される情報を受信する情報受信部と、
前記情報に基づいて、前記第１の端末に関連する第１の特定情報と前記第２の端末に関連する第２の特定情報を組合わせ、組合わせ情報として登録する登録部と、を備えることを特徴とする中継通信装置。
【請求項１２】
請求項１１記載の中継通信装置であって、更に、
前記情報受信部が前記第２の端末からの着信を受信すると、前記登録部に登録されている組合わせ情報に基づいて、前記第１の端末へ着信通知を行う着信通知部を備えることを特徴とする中継通信装置。
【請求項１３】
請求項１１または１２記載の中継通信装置であって、
前記登録部は、前記第１の端末が前記第２の端末へメッセージを送信するとき、前記第１の特定情報と前記第２の特定情報を組合わせて組合わせ情報として登録することを特徴とする中継通信装置。
【請求項１４】
請求項１３記載の中継通信装置であって、
前記登録部は、前記第１の端末が前記第２の端末へメッセージを送信する際、前記第１の特定情報と前記第２の特定情報を組合わせてなる組合わせ情報が、当該登録部に既に登録されている場合は、前記組合わせ情報の優先度を上げることを特徴とする中継通信装置。
【請求項１５】
請求項１４記載の中継通信装置であって、
当該中継通信装置は、通信路を介して、複数の前記第１の端末と接続され、
前記着信通知部は、前記第２の端末が前記第１の端末へメッセージを送信する際、前記組合わせの優先度に基づいて、前記複数の第１の端末のうち少なくとも１つに着信を通知することを特徴とする中継通信装置。
【請求項１６】
請求項１５記載の中継通信装置であって、
前記登録部に前記組合わせ情報が登録されていない場合、前記複数の第１の端末のすべてに着信を通知することを特徴とする中継通信装置。
【請求項１７】
請求項１１〜１６いずれか一項記載の中継通信装置であって、
前記通信路及び前記公衆通信路の少なくとも一方は、無線通信路であることを特徴とする中継通信装置。
【請求項１８】
第１の端末と通信路を介して通信を行い、第２の端末と公衆通信路を介して通信を行う中継通信方法であって、
前記第１の端末と前記第２の端末との間で通信される情報を受信し、
前記情報に基づいて、前記第１の端末に関連する第１の特定情報と前記第２の端末に関連する第２の特定情報を組合わせ、組合わせ情報として登録することを特徴とする中継通信方法。
【請求項１９】
請求項１８記載の中継通信方法であって、
前記通信路及び前記公衆通信路の少なくとも一方は、無線通信路であることを特徴とする中継通信方法。
【発明の詳細な説明】
【技術分野】
【０００１】
本発明は、内線として接続される複数のコードレス電話子機装置（以下、子機と称する）を有するコードレス電話機システム（以下、コードレス電話機と称する）において、携帯電話などで広く使用されているショートメッセージシステム（以下、ＳＭＳと称する）などとして知られるメッセージの送受信に際し、コードレス電話親機装置（以下、親機と称する）でメッセージを受信し、このメッセージ受信したことの子機への通知手段を有する親機などの中継通信装置及び中継通信方法に関するものである。
【背景技術】
【０００２】
従来のコードレス電話機のメッセージ着信通知の制御は、接続された全ての子機にメッセージの着信を通知するというものである。また、電子メール管理機能付電話機における電子メール管理方法としても知られる方法は、同一の使用者が複数の電子機器から電話機にアクセスし、どの電子機器に対して電子メールがダウンロードされたかがわかるように、電話機にメール状態を記憶させておくというものであり、複数の電子機器で電子メールの送受信を行う場合に、メールサーバではなく電話機にアクセスすることにより、メールの状態を把握し、電子メールの一元管理を実現することができる（例えば特許文献１参照）。
【特許文献１】特開平１１−２５２２７４号公報
【発明の開示】
【発明が解決しようとする課題】
【０００３】
しかしながら上記の従来の構成では、親機がメッセージを受信した場合に、一般的に使用者が異なる複数の子機のそれぞれにメッセージを受信したことの通知が届き、それぞれの子機からそのメッセージを参照することができる構成であるため、複数の子機のそれぞれの使用者は、自分だけにメッセージの受信を知らせたり、自分だけが受信したメッセージを参照できたりという、プライバシーを伴うメッセージ管理を行うことができないという課題があった。
【０００４】
本発明は、このような従来の課題を解決するものであり、これまで複数の子機が接続されている場合、全ての子機にメッセージの受信を通知し、メッセージ着信に気づいた使用者が自分の子機から早いもの勝ちにメッセージを受信し閲覧していたものを、そのメッセージを受信すべき子機を特定し、その子機にのみそのメッセージの着信を通知することを目的とする。
【課題を解決するための手段】
【０００５】
本発明に係る中継通信装置は、公衆無線通信手段を有する中継通信装置と、前記中継通信装置に無線通信路によって直接接続可能な第１の移動端末と、前記中継通信装置に公衆無線通信路を介して接続する第２の移動端末からなる通信システムにおいて、前記中継通信装置内に設けた保存手段に、前記第１の移動端末を特定するための第１の特定情報と前記第２の移動端末を特定するための第２の特定情報を、通信メッセージを送受信する移動端末の組合せを特定する情報として登録することを特徴とする。
【発明の効果】
【０００６】
第１の移動端末と第２の移動端末との間で通信メッセージが送受信された際、第１の移動端末に対応する第１の特定情報と第２の移動端末に対応する第２の特定情報との組合わせを登録することにより、中継装置に無線通信路によって直接接続可能な他の移動端末に優先して、当該通信メッセージを第１の移動端末に送信することができる。よって、当該他の移動端末の使用者に通信メッセージの内容が知られることを防ぐことが可能になる。
【発明を実施するための最良の形態】
【０００７】
請求項１に係る中継通信装置は、公衆無線通信手段を有する中継通信装置と、中継通信装置に無線通信路によって直接接続可能な第１の移動端末と、中継通信装置に公衆無線通信路を介して接続する第２の移動端末からなる通信システムにおいて、中継通信装置内に設けた保存手段に、第１の移動端末を特定するための第１の特定情報と第２の移動端末を特定するための第２の特定情報を、通信メッセージを送受信する移動端末の組合せを特定する情報として登録することを特徴とする。
【０００８】
第１の移動端末と第２の移動端末との間で通信メッセージが送受信された際、第１の移動端末に対応する第１の特定情報と第２の移動端末に対応する第２の特定情報との組合わせを登録することにより、中継装置に無線通信路によって直接接続可能な他の移動端末に優先して、当該通信メッセージを第１の移動端末に送信することができる。よって、当該他の移動端末の使用者に通信メッセージの内容が知られることを防ぐことが可能になる。
【０００９】
請求項２に係る中継通信装置は、中継通信装置に公衆無線通信路を介して接続する第３の移動端末から第１の移動端末へメッセージを送信するとき、第３の移動端末が有する第３の特定情報が、中継通信装置内の保存手段に保存された第２の特定情報のいずれかと一致した場合に、通信メッセージを送受信する移動端末の組合せとして第２の特定情報と組合せて保存されている第１の特定情報を有する第１の移動端末へ中継通信装置がメッセージの着信を通知することを特徴とする。
【００１０】
第３の移動端末と第１の移動端末との間で通信メッセージが送受信された際、第３の移動端末に対応する第３の特定情報と第２の移動端末に対応する第２の特定情報とが一致した場合に、通信メッセージを前記第１の移動端末にメッセージの着信を通知することにより、当該通信メッセージを第１の移動端末に優先して送信することができる。よって、当該他の移動端末の使用者に通信メッセージの内容が知られることを防ぐことが可能になる。
【００１１】
請求項３に係る中継通信装置は、前記第１の移動端末から前記第２の移動端末へメッセージを送信するとき、前記第１の移動端末を特定する前記第１の特定情報と前記第２の移動端末を特定する前記第２の特定情報による通信メッセージを送受信する移動端末の組合せを、前記中継通信装置内の保存手段に登録することを特徴とする。
【００１２】
第１の移動端末と第２の移動端末との間で通信メッセージが送受信された際、第１の移動端末に対応する第１の特定情報と第２の移動端末に対応する第２の特定情報との組合わせを登録することにより、中継装置に無線通信路によって直接接続可能な他の移動端末に優先して、当該通信メッセージを第１の移動端末に送信することができる。
【００１３】
請求項４に係る中継通信装置は、前記第１の移動端末から前記第２の移動端末へメッセージを送信するとき、前記第１の移動端末を特定する前記第１の特定情報と前記第２の移動端末を特定する前記第２の特定情報による通信メッセージを送受信する移動端末の組合せが前記中継通信装置内の保存手段に既に登録されている場合、前記組合せの優先度を上げることを特徴とする。
【００１４】
これにより、組合せに対する優先度は優先度が高くなる方向に更新されるので、中継通信装置において受信したメッセージから照合した結果複数の組合せが選択される場合に、ユーザの利用頻度などから優先的に受信を通知すべき端末を決定することができる。
【００１５】
請求項５に係る中継通信装置は、前記第３の移動端末から前記第１の移動端末へメッセージを送信するとき、前記第３の移動端末が有する前記第３の特定情報が、前記中継通信装置内の保存手段に保存された前記第２の特定情報として複数個登録されている場合、前記優先度から優先度の高い通信メッセージを送受信する移動端末の組合せを選択し、選択された前記組合せに保存されている前記第１の特定情報を有する前記第１の移動端末へメッセージの着信を通知することを特徴とする。
【００１６】
これにより、中継通信装置内の保存手段に保存された第２の特定情報が、複数個登録されている場合においても、優先度に基づいて、優先度の高い第１の移動端末へメッセージを送信することができるので、子機使用者のプライバシーを保ったまま、特定子機にのみメッセージの着信を通知することができる。
【００１７】
請求項６に係る中継通信装置は、前記第３の移動端末から前記第１の移動端末へメッセージを送信するとき、前記第３の移動端末が有する前記第３の特定情報が、前記中継通信装置内の保存手段に保存された前記第２の特定情報として１個も登録されていない場合、前記中継通信装置に無線通信路によって直接接続している全ての移動端末へメッセージの着信を通知することを特徴とする。
【００１８】
これにより、第２の特定情報が登録されていない場合でも、全ての移動端末に通信メッセージに着信を通知するので、中継通信装置に複数の移動端末が複数個接続され、中継通信装置が受信した通信メッセージの着信先を特定できない場合でも、ユーザがいずれかの移動端末を利用して、通信メッセージの受信を行うことができる。
【００１９】
請求項７に係る中継通信装置は、公衆無線通信手段を有する中継通信装置と、前記中継通信装置に無線通信路によって直接接続可能な第１の移動端末と、前記中継通信装置に公衆無線通信路を介して接続する第２の移動端末との間のメッセージ通信を、前記中継通信装置内に設けた保存手段に、前記中継通信装置を介して送受信するメッセージが前記第１の移動端末と前記第２の移動端末間のメッセージであることを特定するための第４の特定情報を、通信メッセージを送受信する移動端末の組合せとして登録することを特徴とする。
【００２０】
これにより、第１の移動端末と第２の移動端末との間で通信メッセージは、第１の移動端末と第２の移動端末間のメッセージであると特定され、組合わせとして登録されるので、当該第１の移動端末以外の移動端末の使用者に通信メッセージの内容が知られることを防ぐことが可能になる。
【００２１】
請求項８に係る中継通信装置は、前記中継通信装置に公衆無線通信路を介して接続する第３の移動端末から前記第１の移動端末へメッセージを送信するとき、前記メッセージの本文のいずれかに付加したメッセージの転送を特定するための第５の特定情報が、前記中継通信装置内の保存手段に保存された前記第４の特定情報のいずれかと一致した場合に、前記第５の特定情報と組合せて保存されている前記第１の特定情報を有する前記第１の移動端末へメッセージの着信を通知することを特徴とする。
【００２２】
これにより、第３の移動端末と第１の移動端末との間で通信メッセージが送受信された際、メッセージに付加された第５の特定情報と第４の特定情報の一致を確認して、第１の移動端末へメッセージの着信を通知するので、意中でない他の第１の移動端末の使用者に通信メッセージの内容が知られることを防ぐことが可能になる。
【００２３】
請求項９に係る中継通信装置は、前記第１の移動端末から前記第２の移動端末へメッセージを送信するとき、前記第１の移動端末を特定する前記第１の特定情報と前記第２の移動端末を特定する前記第２の特定情報による通信メッセージを送受信する移動端末の組合せと前記第１の移動端末と前記第２の移動端末間のメッセージ通信を特定する前記第４の特定情報を、前記中継通信装置内の保存手段に登録することを特徴とする。
【００２４】
これにより、中継通信装置が受信したメッセージをどの第１の移動端末に着信を通知すべきかを管理、判断することが可能となるので、意中でない他の第１の移動端末に着信を通知することなく、使用者のプライバシーを保ったまま、メッセージの着信を通知することができる。
【００２５】
請求項１０に係るメッセージ着信の通知方法は、公衆無線通信手段を有する中継通信装置と、前記中継通信装置に無線通信路によって直接接続可能な第１の移動端末と、前記中継通信装置に公衆無線通信路を介して接続する第２の移動端末との間のメッセージ通信を、前記中継通信装置内に設けた保存手段に、前記第１の移動端末を特定するための第１の特定情報と前記第２の移動端末を特定するための第２の特定情報を、通信メッセージを送受信する移動端末の組合せを特定する情報として登録することを特徴とする。
【００２６】
これにより、第１の移動端末と第２の移動端末との間で通信メッセージが送受信された際、第１の移動端末に対応する第１の特定情報と第２の移動端末に対応する第２の特定情報との組合わせを登録することにより、中継通信装置に無線通信路によって直接接続可能な他の移動端末に優先して、当該通信メッセージを第１の移動端末に送信することができる。よって、当該他の移動端末の使用者に通信メッセージの内容が知られることを防ぐことが可能になる。
【００２７】
請求項１１に係る中継通信装置は、第１の端末と通信路を介して通信を行い、第２の端末と公衆通信路を介して通信を行う中継通信装置であって、前記第１の端末と前記第２の端末との間で通信される情報を受信する情報受信部と、前記情報に基づいて、前記第１の端末に関連する第１の特定情報と前記第２の端末に関連する第２の特定情報を組合わせ、組合わせ情報として登録する登録部と、を備えることを特徴とする。
【００２８】
これにより、第１の端末と第２の端末で通信が行われた際、第１の特定情報と第２の特定情報を組合わせて組合わせ情報として登録するので、中継通信装置に通信路によって、直接接続される他の端末に優先して、当該情報を第１の端末に送信することができる。よって、当該他の端末の使用者に通信メッセージの内容が知られることを防ぐことが可能になる。
【００２９】
請求項１２に係る中継通信装置は、更に、前記情報受信部が前記第２の端末からの着信を受信すると、前記登録部に登録されている組合わせ情報に基づいて、前記第１の端末へ着信通知を行う着信通知部を備えることを特徴とする。
【００３０】
これにより、組合わせ情報に基づいて、第１の端末に着信を通知することにより、第１の端末と優先的に通信を行うことができる。よって、通信路を介して中継通信装置に直接接続可能な他の端末の使用者に通信メッセージの内容が知られることを防ぐことが可能になる。
【００３１】
請求項１３に係る中継通信装置は、前記登録部が、前記第１の端末が前記第２の端末へメッセージを送信するとき、前記第１の特定情報と前記第２の特定情報を組合わせて組合わせ情報として登録することを特徴とする。
【００３２】
これにより、第１の端末と第２の端末との間で通信がされた際、第１の端末に対応する第１の特定情報と第２の端末に対応する第２の特定情報との組合わせを登録することにより、中継通信装置に通信路によって直接接続可能な他の端末に優先して、当該通信メッセージを第１の端末に送信することができる。
【００３３】
請求項１４に係る中継通信装置は、前記登録部は、前記第１の端末が前記第２の端末へメッセージを送信する際、前記第１の特定情報と前記第２の特定情報を組合わせてなる組合わせ情報が、当該登録部に既に登録されている場合は、前記組合わせ情報の優先度を上げることを特徴とする。
【００３４】
これにより、第１の端末と第２の端末間の通信履歴に基づいて組合わせ情報の優先度を上げることによって、ユーザの利用頻度などから優先的に受信を通知すべき端末を決定することができる。
【００３５】
請求項１５に係る中継通信装置は、当該中継通信装置は、通信路を介して、複数の前記第１の端末と接続され、前記着信通知部は、前記第２の端末が前記第１の端末へメッセージを送信する際、前記組合わせの優先度に基づいて、前記複数の第１の端末のうち少なくとも１つに着信を通知することを特徴とする。
【００３６】
これにより、組合わせ情報の優先度に基づいて、第２の端末からのメッセージを第１の端末に通知することによって、ユーザの利用頻度などから優先的に受信を通知すべき端末を決定することができる。
【００３７】
請求項１６に係る中継通信装置は、前記登録部に前記組合わせ情報が登録されていない場合、前記複数の第１の端末のすべてに着信を通知することを特徴とする。
【００３８】
これにより、組合わせ情報が登録されていない場合でも、全ての第１の移動端末に通信メッセージに着信を通知するので、中継通信装置に複数の第１の移動端末が複数個接続され、中継通信装置が受信した通信メッセージの着信先を特定できない場合でも、ユーザがいずれかの移動端末を利用して、通信メッセージの受信を行うことができる。
【００３９】
請求項１７に係る中継通信装置は、前記通信路及び前記公衆通信路の少なくとも一方は、無線通信路であることを特徴とする。
【００４０】
請求項１８に係る中継通信方法は、第１の端末と通信路を介して通信を行い、第２の端末と公衆通信路を介して通信を行う中継通信方法であって、前記第１の端末と前記第２の端末との間で通信される情報を受信し、前記情報に基づいて、前記第１の端末に関連する第１の特定情報と前記第２の端末に関連する第２の特定情報を組合わせ、組合わせ情報として登録することを特徴とする。
【００４１】
これにより、第１の端末と第２の端末で通信が行われた際、第１の特定情報と第２の特定情報を組合わせて組合わせ情報として登録するので、他の端末に優先して、当該情報を第１の端末に送信することができる。よって、当該他の端末の使用者に通信メッセージの内容が知られることを防ぐことが可能になる。
【００４２】
請求項１９に係る中継通信方法は、前記通信路及び前記公衆通信路の少なくとも一方が、無線通信路であることを特徴とする。
【００４３】
無線通信路以下、本発明の具体的な内容について実施例を用いて説明する。
【００４４】
（実施例１）
以下、本発明の実施例１におけるメッセージの転送先決定制御装置について図１〜図６を用いて説明する。
【００４５】
図１は、携帯電話網などの公衆網１０５にＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）などの公衆網（携帯電話網）１０９を用いて接続するコードレス電話親機装置１０１（本発明の請求項に記載する中継通信装置に相当。以下、親機と称する）と、この親機にＤＥＣＴ（デジタルコードレス電話規格）などの別の内線網１０８（以下、無線と称する）を用いて接続する複数のコードレス電話子機装置１０２、１０３、１０４（以下、子機と称する）を接続した構成からなるコードレス電話システム（以下、コードレス電話と称する）と、公衆網１０５に直接接続する携帯端末装置１０６、１０７（以下、携帯電話と称する）をそれぞれ接続したネットワークシステム構成を示した図である。子機１０２〜１０４と携帯電話１０６、１０７は親機１０１及び公衆網１０５を介して、音声通話やメッセージの送受信などを行うことができる。
【００４６】
図２は、本発明の一実施例におけるコードレス電話親機装置内部のブロック図であり、公衆網１０５とのメッセージの送受信の制御や受信したメッセージがあることを子機１０２〜１０４に通知する着信通知制御処理、受信したメッセージをＦＬＡＳＨ  ＲＯＭ２０２に格納する処理などを行うＣＰＵ２０１、親機１０１のプログラムや配送送決定テーブル２０６などの管理テーブル、送受信したメッセージを格納するメッセージ格納領域２０７などを保存するためのＦＬＡＳＨ  ＲＯＭ２０２、ワークエリア等として使用するＲＡＭ２０３、親機と子機の間の内線側無線通信を司る図１に示す無線１０８に接続するための子機無線制御部２０４、同じく公衆網１０５との無線通信を司る携帯無線制御部２０５から構成される。
【００４７】
図３は、本発明の一実施例におけるコードレス電話親機装置内部で受信したメッセージの転送先を決定するための転送先決定テーブルを示す図である。図３（ａ）の３００は、配送先決定テーブルの初期状態を示している。図３（ｂ）の３１０は、転送先決定テーブルに子機１０２から携帯電話１０６へ最初のメッセージを送信した際に、新規エントリとして追加した状態を示している。そして、図３（ｃ）の３２０は、この携帯電話１０６から子機１０２への返信メッセージを受信した際に、転送先決定テーブルを更新した状態を示している。３０１はエントリ、すなわち、無線１０８につながる子機と公衆網１０５につながる携帯電話間のメッセージ通信における発信者と受信者を関係付けるための情報の管理番号である。３０２は、特定の携帯電話とのメッセージ通信に用いられている子機を示す子機Ｎｏ．情報である。３０３は子機Ｎｏ．情報３０２を有する子機が公衆網１０５を介して接続した相手先携帯番号を識別するための相手先番号である。また、３０４は、各エントリの子機がそのエントリの相手先携帯電話へ最後にメッセージを送信した時刻を示す最終送信時刻であり、３０５はそのエントリの子機がそのエントリの相手先携帯電話から最後にメッセージを受信した時刻を示す最終受信時刻であり、３０６はそのエントリの子機とそのエントリの相手先携帯電話との間でメッセージの送受信を行った回数を格納した送受信回数である。これら３０４〜３０６は、複数の子機が同じ携帯電話と通信している場合に、その携帯電話からのメッセージの受信を通知する子機を決定するための優先度情報として用いることができる。３１１〜３２６は、子機１０２と携帯電話１０６間でメッセージを送受信した結果、エントリが更新される様子を示している。
【００４８】
また、子機１０２と携帯電話１０６を関係付ける情報として、個別にユニークなキーワードを選択し、このキーワードを転送先決定テーブルに保存し、一方、親機１０１と携帯電話１０６との間では、当該キーワードをメッセージ本文に付加して送信し、携帯電話１０６からの返信にも同一のキーワードを付加し、親機１０１で受信時に当該キーワードを削除し、本文のみを子機１０２に表示するように構成してもよい。
【００４９】
これにより、携帯電話１０６からメッセージを受信したとき、メッセージ本文中のキーワードをチェックすることにより、受信したメッセージの転送先を判別することもできる。
【００５０】
また、親機１０１がメッセージを受信した際、転送先決定テーブルに保存された情報を参照して、例えば親機１０１が受信したメッセージの送信元を示す通信相手の情報を含むエントリが見つかった場合に、そのエントリの最終送信時刻をチェックし、特定の子機１０２が、最終送信時刻から所定の時間前に既に送信したという情報があった場合、親機１０１が受信したメッセージは当該特定の子機１０２に対する返信とは見なさないという制御を行っても良い。
【００５１】
また、複数の子機１０２が同一の通信相手とメッセージのやり取りをした履歴がある場合、最終送信時刻、最終受信時刻の順に新しい履歴を持つエントリを優先しても良い。
【００５２】
また、当該メッセージのやり取りの履歴が、最終送信時刻若しくは最終受信時刻から所定の時間を超えている場合には、送受信回数の多いものを優先するエントリと見なしても良い。
【００５３】
図４は、本発明の一実施例におけるコードレス電話子機、コードレス電話親機、及び、相手携帯電話間のメッセージ送受信シーケンス図である。
【００５４】
図５は、本発明の一実施例におけるコードレス子機からメッセージを受信したときのコードレス親機内部の処理フローチャートを示したものである。
【００５５】
図６は、本発明の一実施例における相手携帯電話からメッセージを受信したときのコードレス親機内部の処理フローチャートを示したものである。
【００５６】
以下、図４のシーケンス図、図５と図６の親機１０１のフローチャートに沿って、特定の子機１０２から送信したメッセージに対し、相手携帯電話１０６からそのメッセージに返信した場合に、その返信メッセージがメッセージを送信した特定の子機１０２へのみ着信を通知され、ユーザがその特定の子機１０２上でメッセージを閲覧するまでの処理について説明する。
【００５７】
図４において、ユーザは子機１０２において送信するメッセージの本文とあて先、すなわち相手先アドレス（本実施例２の場合は「０９０１２３４５６７８」）を入力する（シーケンス４１１）。本実施例１ではショートメッセージシステム（以下ＳＭＳと称する）を例として取り上げ、子機１０２から送信するメッセージのあて先には相手先携帯電話１０６の電話番号を設定する。子機１０２においてメッセージ送信操作を実施すると、子機１０２は作成したメッセージを親機１０１へ転送し（シーケンス４１２）、親機１０１はＦＬＡＳＨ  ＲＯＭ２０２に格納した転送先決定テーブル３００に新しいエントリとして今回の送信情報を追加する（シーケンス４１３）。
【００５８】
親機１０１が転送先決定テーブルに新しいエントリを追加する処理は、図５に示すフローチャートに従って実装する。まず、送信元である子機１０２と相手先携帯電話１０６の電話番号が、図３（ａ）に示す転送先決定テーブル３００に登録されているかをチェックする（ステップ５０１）。図３において、子機１０２とあて先として送信しようとする相手アドレスの組合せが転送先決定テーブル３００に登録されていない場合、転送先決定テーブル３００の空いているエントリで、かつ、最も管理番号の小さい管理Ｎｏ．１に登録することとし、子機Ｎｏ．情報３０２の項目には「１」（３１２）を、相手先番号３０３にはこのメッセージの相手先として設定された電話番号（３１３）を、最終送信時刻３０４には送信時すなわち現在の時刻（３１４）を、送受信回数３０６には今回が初めてのメッセージ送受信であることから「１」（３１６）をそれぞれ登録する。（図５のステップ５０３）。その結果、図３（ａ）の転送先決定テーブル３００は、図３（ｂ）の転送先決定テーブル３１０に示すように、最終送信時刻３１４には現在の時刻として「３／３０  １０：００」が登録され、３１６には送受信回数として「１」が登録された状態となる。
【００５９】
図４に戻り、以上のエントリの追加処理が終わると親機１０１は公衆網１０５へメッセージを送信する（シーケンス４１４）。公衆網１０５はメッセージに指定された相手先電話番号の携帯電話１０６にメッセージを転送する。携帯電話１０６はメッセージを受信するとユーザにメッセージの着信を通知し、ユーザは閲覧した後返事を送信する（シーケンス４１５）。この返事を送信するとき、携帯電話１０６上で作成されるメッセージの送信元は、携帯電話１０６の電話番号１１０であり、送信先は、親機１０１の電話番号となる。携帯電話１０６から返信されたメッセージは、公衆網１０５を介して転送され、親機１０１でそのメッセージを受信する（シーケンス４１６）。このとき、親機１０１は図３（ｂ）の決定テーブル３１０を参照して、受信したメッセージをどの子機に着信させるべきメッセージであるかを識別し、着信させることを決定した子機のメッセージ格納領域に、受信したメッセージを保存する（シーケンス４１７）。
【００６０】
親機１０１が受信したメッセージをどの子機に着信させるべきメッセージであるかを判断する処理を、図６に示すフローチャートを用いて説明する。親機１０１では、受信したメッセージの送信元アドレスを転送先決定テーブル３１０の各エントリの相手先番号３０３と比較し（ステップ６０１）、合致するエントリがあれば、更に他に合致するエントリがないかすべてをチェックする（ステップ６０２）。転送先決定テーブル３１０においては、合致するエントリが１個なので、合致するエントリに登録されている子機Ｎｏ．１（３１２）を転送先としてメッセージを受信したことを通知する（ステップ６０４）。それと同時に親機１０１では、転送先決定テーブル３１０において、今回合致したエントリの優先度情報、すなわち、図３（ａ）における最終受信時刻３０５が現在の時刻に更新され、送受信回数３０６が以前の値に１を加算した値「２」とするに更新される。その結果、図３（ｂ）の転送先決定テーブル３１０は、図３（ｃ）に示す転送先決定テーブル３２０に示すように、３２５には最終受信時刻として「３／３０  １１：００」が登録される。また、図３（ｂ）の転送先決定テーブル３１０の３１６に登録されている送受信回数「１」は、図３（ｃ）の転送先決定テーブルの６１０においては「２」に更新された状態となる。なお、合致するエントリ数が２個以上あった場合、それぞれのエントリにカウントされている送受信回数３０６の最も多いエントリをメッセージ受信させる子機と判断することもできる（ステップ６０６）。
【００６１】
図４に戻って、本実施例１では、転送先決定テーブル３１０に基づき、子機Ｎｏ．１（１０２）のメッセージ格納領域に受信したメッセージを保存する（シーケンス４１７）と共に、その子機Ｎｏ．１（１０２）にのみメッセージの着信通知を送信する（シーケンス４１８）。メッセージ着信通知を受信した子機１０２は画面上のメッセージ着信アイコンを点灯させて着信音を鳴らしたり、適切なメッセージを子機画面上に表示したりすることで、ユーザにメッセージの着信を知らせる（シーケンス４１９）。ユーザがこの子機画面上のアイコンの点灯などに気づいた場合、受信メッセージの閲覧操作を開始する（シーケンス４２０）。子機１０２は親機１０１内部の子機Ｎｏ．１（１０２）のメッセージ格納領域からメッセージを読出し（シーケンス４２１）、子機１０２の画面上にその受信メッセージを表示する（シーケンス４２２）。
【００６２】
以上のように本実施例１によれば、上記の構成により、中継通信装置に直接接続する第１の移動端末が複数ある場合に、ある第２の移動端末（携帯電話）が有する第２の特定情報（電話番号）を中継通信装置の保存手段に登録された情報と照合することで、その第２の移動端末（携帯電話）との通信頻度が高い第１の移動端末（子機）を特定することができる。
【００６３】
また、中継通信装置に直接接続する移動端末が複数ある場合に、第３の移動端末（携帯電話）から送信される通信メッセージより抽出された送信元の情報（例えば第３の移動端末の電話番号など）を、中継通信装置に登録管理されている第２の特定情報と照合し一致すれば、その第２の特定情報と組合わせて登録管理されている第１の特定情報（例えば子機Ｎｏ．など）を有する第１の移動端末（子機）のみがその通信メッセージを受信するので、中継通信装置に直接接続する他の移動端末（子機）による通信メッセージの閲覧を防ぐこともできる。
【００６４】
また、第１の移動端末（子機）から第２の移動端末（携帯電話）に対して送信される通信メッセージより、送信元及び送信先の情報を中継通信装置が抽出し、それぞれ第１及び第２の特定情報として保存手段に登録するので、ユーザが手入力で第１及び第２の特定情報を中継通信装置へ登録する手間を省くことができる。
【００６５】
また、第１の移動端末（子機）から第２の移動端末（携帯電話）に対して送信される通信メッセージより抽出した送信元と送信先の組合せの情報が、既に中継通信装置に登録されている場合、その組合せに対する優先度参考情報を、優先度が高くなる方向に更新するので、中継通信装置において受信したメッセージから照合した結果複数の組合せが選択される場合に、ユーザの利用頻度などから優先的に受信を通知すべき端末を決定することができる。
【００６６】
また、第３の移動端末（携帯電話）から送信される通信メッセージより抽出された送信元の情報を、中継通信装置に登録されている第２の特定情報と照合し複数の組合せ情報に一致した場合、この優先度参考情報が高い方の組合せを選択し、通信メッセージの着信を通知するので、中継通信装置に複数の移動端末が複数個接続され、同じ第３の移動端末とメッセージ通信している場合でも、ユーザが利用している可能性がより高い端末に通信メッセージの着信を通知することができる。
【００６７】
更に、第３の移動端末から送信される通信メッセージより抽出された送信元の情報を、中継通信装置に登録管理されている第２の特定情報と照合した際、一致するものが１個もなかった場合、中継通信装置に直接接続している全ての移動端末に通信メッセージに着信を通知するので、中継通信装置に複数の移動端末が複数個接続され、中継通信装置が受信した通信メッセージの着信先を特定できない場合に、ユーザがいずれの移動端末を利用していても、通信メッセージの受信を知ることができる。
【００６８】
（実施例２）
以下、本発明の実施例２におけるメッセージの転送先決定制御方法について図７〜図１１を用いて説明する。なお、本実施例２においても、実施例１と同じく、図１のコードレス電話システム及びネットワークシステム構成と図２の親機内部のハードウェアブロックを採用しているため、それらについての説明は省略する。
【００６９】
図７は、本発明の一実施例においてコードレス電話親機装置内部でメッセージに付加、及び、削除するキーワードを管理するための転送先決定テーブルを示す図である。７００は、転送先決定テーブルの初期状態を示しており、７１０は、転送先決定テーブルに子機１０２から携帯電話１０６へ最初のメッセージを送信した際に、新規エントリとして追加した状態を示しており、７２０は、既に子機１０３から携帯電話１０６へのメッセージ送受信が行われた後に子機１０２から携帯電話１０６へのメッセージ送受信が行われた際に、新しいエントリが追加された状態を示している。転送先決定テーブル７００のエントリは各エントリ７０１の管理Ｎｏ．情報と、送信するメッセージに自動的に付加するキーワード７０２、このキーワード７０２を使用して無線１０８につながる子機１０２、１０３、１０４と公衆網１０５につながる携帯電話１０６、１０７間のメッセージ通信における発信者と受信者を管理し関係付けるために、いずれかの子機を示す子機Ｎｏ．情報７０３と、いずれかの携帯電話の相手アドレス７０４を持つ。
【００７０】
図８は、本発明の一実施例におけるコードレス子機と携帯電話間でメッセージの送受信をする際の、各々の機器上で転送されるメッセージ本文の内容を示した図である。コードレス電話の無線１０８に接続された特定の子機１０２でメッセージ本文８０１を作成し、親機１０１でメッセージ本文８０２にキーワードを追加し、受信した特定の携帯電話１０６でキーワードを削除したメッセージ本文８０３をユーザは閲覧する。また、携帯電話１０６でキーワードを付加した返信メッセージ本文８０４を作成して送信し、親機１０１でキーワードを削除したメッセージ本文８０５に変換し、子機１０２へメッセージ本文８０６の形で転送する。
【００７１】
図９は、本発明の一実施例におけるコードレス電話子機、コードレス電話親機、及び、相手携帯電話間のメッセージ送受信シーケンス図である。
【００７２】
図１０は、本発明の一実施例におけるコードレス子機からメッセージを受信したときのコードレス親機内部の処理フローチャートを示したものであり、図１１は、本発明の一実施例における相手携帯電話からメッセージを受信したときのコードレス親機内部の処理フローチャートを示したものである。
【００７３】
以下、図８の各機器間でやり取りされるメッセージ本文、図９のシーケンス図、図１０と図１１のフローチャートに沿って、特定の子機１０２から特定の携帯電話１０６に送信されたメッセージに対し、携帯電話１０６からメッセージを返信した場合に、その返信メッセージがメッセージを送信した特定の子機１０２にのみ着信通知され、ユーザがその特定の子機１０２上でメッセージを閲覧するまでの処理について説明する。
【００７４】
まず図９において、ユーザは子機１０２において送信するメッセージ本文８０１（図８参照）とあて先、すなわち相手先アドレス（本実施例２の場合は「０９０１２３４５６７８」）を入力する（シーケンス９１１）。本実施例２では、上記で示した実施例１と同様にＳＭＳを例として取り上げ、子機１０２から送信するメッセージのあて先には相手先携帯電話１０６の電話番号１１０を設定する。図９の子機１０２においてメッセージ送信操作を実施すると、作成したメッセージは、子機１０２から親機１０１へ転送され（シーケンス９１２）、親機１０１はＦＬＡＳＨ  ＲＯＭ２０２に格納した転送先決定テーブル６００に新しいエントリとして今回の送信情報を追加し、転送するメッセージ本文８０１の先頭に、メッセージのやり取りを識別するためのキーワードを付加したキーワード付メッセージ本文８０２を作成する（シーケンス９１３）。そして、そのキーワード付メッセージ本文８０２を、相手先携帯電話１０６へ送信する（シーケンス９１５）。
【００７５】
これらのシーケンス９１３及び９１５を実行するために、親機１０１は図１０に示すフローチャートに従って処理を行う。図９のシーケンス９１２による子機１０２からの図示しない送信データには、図８に示すメッセージ本文８０１と共に、送信元である子機１０２の子機Ｎｏ．（本実施例２では「１」とする）と相手先携帯電話１０６の電話番号（本実施例２では「０９０１２３４５６７８」とする）が含まれている。まず図１０のステップ１００１において親機１０１は、図９のシーケンス９１２により送られてきた子機１０２からの図示しない送信データに含まれている子機１０２の子機Ｎｏ．１と相手先携帯電話１０６の電話番号「０９０１２３４５６７８」を抽出し、それらが例えば図７の７００・７１０・７２０に示すような転送先決定テーブルに登録されているかをチェックする。
【００７６】
次に親機１０１（例えば図８参照）は、図７（ａ）に示す転送先決定テーブル７００の空いているエントリで、かつ、最も管理番号の小さい管理Ｎｏ．の子機Ｎｏ．登録欄及び相手先携帯電話登録欄に、それぞれ、子機１０２の子機Ｎｏ．１と相手先携帯電話１０６の電話番号「０９０１２３４５６７８」を登録する。これらの登録作業は後述の図１０に示す親機１０１のフローチャートのステップ１００５において行われる。
【００７７】
転送先決定テーブルに何も登録されていない場合、すなわち転送先決定テーブルが図７（ａ）の７００に示す状態の場合、以上に述べた登録作業により、子機Ｎｏ．１と相手先携帯電話１０６の電話番号「０９０１２３４５６７８」は図７（ａ）の転送先決定テーブル７００の管理Ｎｏ．１の行の子機Ｎｏ．情報７０３及び相手アドレス７０４にそれぞれ登録され、図７（ｂ）の転送先決定テーブル７１０の状態となる。
【００７８】
転送先決定テーブルに別の登録が既になされている場合、転送先決定テーブルは、例えば図７（ｃ）に示すような状態となる。これはあらかじめ転送先決定テーブル７２０の管理Ｎｏ．１のエントリ行に子機Ｎｏ．２に関する転送先情報が既に登録されていて、それよりも下のエントリ行には登録がなされていなかったため、転送先決定テーブル７２０の空いているエントリでかつ最も小さい管理Ｎｏ．２のエントリ行に子機Ｎｏ．１と相手先携帯電話１０６の電話番号「０９０１２３４５６７８」が登録された例である。
【００７９】
それらの登録を行う前に、図１０のステップ１００３において親機１０１は、図８のメッセージ本文８０１に付加する個別のキーワード（本実施例２では「＄Ａ７Ｆ！」とする」）を、例えば図示しない乱数プログラムなどを用いてランダムに生成する。後ほどまた述べるが、この個別のキーワード（本実施例２では「＄Ａ７Ｆ！」）は、特定の子機と特定の携帯電話との間でやり取りするメッセージを他のメッセージと区別する効果がある。
【００８０】
次に親機１０１は、図１０のステップ１００４において、転送する図８のメッセージ本文８０１本文の先頭にこのキーワード「＄Ａ７Ｆ！」を付加し、キーワード付メッセージ本文８０２を生成する（ステップ１００４）。それと同時に、図１０のステップ１００５において、このキーワード「＄Ａ７Ｆ！」を、図７（ａ）に示す転送先決定テーブル７００のキーワード７０２に登録する（ステップ１００５）。このキーワードの登録と共に、親機１０１は、先ほども述べた子機１０２の子機Ｎｏ．１と相手先携帯電話１０６の電話番号「０９０１２３４５６７８」の登録を、それぞれ、図７（ａ）の転送先決定テーブル７００の子機Ｎｏ．情報７０３及び相手先ドレス７０４に対して行う。
【００８１】
これらのステップ１００１・１００３〜１００５により、図７（ａ）において空欄だった転送先決定テーブル７００は、図７（ｂ）の転送先決定テーブル７１０に示す状態となる。すなわち、キーワード７０２にはランダムに生成した値「＄Ａ７Ｆ！」が、子機Ｎｏ．登録欄には「１」が、相手アドレス登録欄にはこのメッセージの相手先として設定された電話番号がそれぞれ登録された状態である。
【００８２】
これらの転送先決定テーブルへの登録が終わった後、親機１０１は図１０のステップ１００６に従って、キーワード付メッセージ本文８０２（図８参照）を送信する。その結果、図８のキーワード付メッセージ本文８０２は、図９のシーケンス９１５に示すように、親機１０１から電話番号「０９０１２３４５６７８」を有する相手先携帯電話１０６へと送信される。
【００８３】
なお、親機１０１が受信したメッセージにキーワードが含まれていないか（ステップ１１０１）、受信したメッセージから抽出したキーワードが転送先決定テーブルに登録されていない、すなわち、受信メッセージから抽出したキーワードと転送先決定テーブルに登録されているキーワードに一致するものが検出されなかった場合（ステップ１１０２）、親機１０１は、接続しているすべての子機１０２、１０３及び１０４へメッセージの着信を通知する（ステップ１１０４）。このように、親機１０１が受信したメッセージを転送すべき特定の子機を検出できなかった場合、従来のメッセージを受信したときと同様に、すべての子機へメッセージの着信を通知することにより、どの子機においてでもメッセージの着信を知ることができるようにする。
【００８４】
親機１０１において、受信したメッセージの転送先を決定し、該当する子機１０２へメッセージの着信を通知した後は、図９のシーケンス図に示すように、メッセージ着信通知を受信した子機１０２で、画面上のメッセージ着信アイコンを点灯させて着信音を鳴らしたり、適切なメッセージを子機画面上に表示したりすることにより、ユーザにメッセージの着信があることを知らせる（シーケンス９２２）。ユーザはこの子機画面上のアイコンの点灯などによりメッセージの着信に気づいた場合、ユーザは受信メッセージの閲覧操作を行い（シーケンス９２３）、親機１０１のメッセージ格納領域に保存されているメッセージを読出し（シーケンス９２４）、子機表示装置上にメッセージを表示する（シーケンス９２５）。
【００８５】
以上のように本実施例２によれば、上記の構成により、中継通信装置に直接接続した第１の移動端末（子機）と、中継通信装置に公衆無線通信路を介して接続した第２の移動端末（携帯電話）との間のメッセージ通信を、中継通信装置内に設けた保存手段に、第１の移動端末（子機）と第２の移動端末（携帯電話）間のメッセージであることを特定するための第４の特定情報を、通信メッセージを送受信する移動端末の組合せとして登録するので、その第２の移動端末（携帯電話）との通信頻度が高い第１の移動端末（子機）を特定することができる。
【００８６】
また、中継通信装置に公衆無線通信路を介して接続した第３の移動端末（携帯電話）から第１の移動端末（子機）へメッセージを送信するとき、メッセージの本文のいずれかに付加したメッセージの転送を特定するための第５の特定情報が、中継通信装置内の保存手段に保存された第４の特定情報のいずれかと一致した場合に、第５の特定情報と組合せて保存されている第１の特定情報を有する第１の移動端末へメッセージの着信を通知するので、中継通信装置に直接接続する他の移動端末（子機）での通信メッセージの閲覧を防ぐことができる。
【００８７】
更に、第１の移動端末（子機）から第２の移動端末（携帯電話）に対して送信される通信メッセージより、メッセージの特定の場所に格納された通信者を特定する情報と送信元の情報を中継通信装置が抽出し、それぞれ第１及び第４の特定情報として保存手段に登録するので、ユーザが手入力で第１及び第４の特定情報を中継通信装置へ登録する手間を省くことができる。
【産業上の利用可能性】
【００８８】
本発明に係るメッセージの着信優先制御は、コードレス電話システムにおいて、特定のコードレス電話子機装置にのみ着信を通知することができるところから、例えば複数のコードレス電話子機がつながる親子機電話システムにおいて、特定の子機と公衆無線通信網を介して接続する携帯電話装置間でプライバシーを保ったメッセージのやり取りを可能とし、複数のコードレス電話子機装置を有するコードレス電話システム同士での子機装置間での利用や、チャット感覚でのメッセージの送受信による利用なども可能である。
【図面の簡単な説明】
【００８９】
【図１】本発明の一実施例におけるメッセージ配信システムの全体構成を示す図
【図２】本発明の一実施例におけるコードレス電話親機装置内部のブロック図
【図３】本発明の一実施例におけるコードレス電話親機装置内部で受信したメッセージの転送先を決定するための転送先決定テーブルを示す図
【図４】本発明の一実施例におけるコードレス電話子機、コードレス電話親機、及び、相手携帯電話間のメッセージ送受信シーケンス図
【図５】本発明の一実施例におけるコードレス子機からメッセージを受信したときのコードレス親機内部の処理フローチャート
【図６】本発明の一実施例における相手携帯電話からメッセージを受信したときのコードレス親機内部の処理フローチャート
【図７】本発明の一実施例においてコードレス電話親機装置内部でメッセージに付加、及び、削除するキーワードを管理するための転送先決定テーブルを示す図
【図８】本発明の一実施例におけるコードレス子機と携帯電話間でメッセージの送受信をする際の、各々の機器上で転送されるメッセージ本文の内容を示した図
【図９】本発明の一実施例におけるコードレス電話子機、コードレス電話親機、及び、相手携帯電話間のメッセージ送受信シーケンス図
【図１０】本発明の一実施例におけるコードレス子機からメッセージを受信したときのコードレス親機内部の処理フローチャート
【図１１】本発明の一実施例における相手携帯電話からメッセージを受信したときのコードレス親機内部の処理フローチャート
【符号の説明】
【００９０】
１０１    コードレス電話親機装置
１０２    コードレス電話子機装置
１０３    コードレス電話子機装置
１０４    コードレス電話子機装置
１０５    公衆網（携帯電話網）
１０６    携帯端末装置（携帯電話）
１０７    携帯端末装置（携帯電話）
１０８    内線網（無線）
１０９    公衆網（携帯電話網）
１１０    電話番号
２０１    ＣＰＵ
２０２    ＦＬＡＳＨ  ＲＯＭ
２０３    ＲＡＭ
２０４    子機無線制御部
２０５    携帯無線制御部
２０６    転送先決定テーブル
２０７    メッセージ格納領域
３００、３１０、３２０    転送先決定テーブル
３０１、３１１、３２１    エントリ
３０２、３１２、３２２    子機Ｎｏ．情報
３０３、３１３、３２３    相手先番号
３０４、３１４、３２４    最終送信時刻
３０５、３１５、３２５    最終受信時刻
３０６、３１６、３２６    送受信回数
６１０    転送先決定テーブル
７００、７１０、７２０    転送先決定テーブル
７０１、７１１、７２１、７３１    エントリ
７０２、７１２、７２２、７３２    キーワード
７０３、７１３、７２３、７３３    子機Ｎｏ．情報
７０４、７１４、７２４、７３４    相手アドレス
８０１、８０２、８０３、８０４、８０５，８０６    メッセージ本文
【図１】
2010226570.tif 000003
【図２】
2010226570.tif 000004
【図３】
2010226570.tif 000005
【図４】
2010226570.tif 000006
【図５】
2010226570.tif 000007
【図６】
2010226570.tif 000008
【図７】
2010226570.tif 000009
【図８】
2010226570.tif 000010
【図９】
2010226570.tif 000011
【図１０】
2010226570.tif 000012
【図１１】
2010226570.tif 000013